(57)【特許請求の範囲】
【請求項１】
磁気記録媒体に対して異なる電流値で磁気情報を書き込み可能な磁気記録媒体処理装置であって、
前記磁気記録媒体に書き込まれた前記磁気情報の書き込み結果が正常であるか否かを判定する書込判定手段と、
前記書込判定手段の判定に基づき、前記磁気記録媒体が正常使用可能であるか否かを判断する媒体評価手段と、
前記媒体評価手段が、前記磁気記録媒体の抗磁力に対応する第１の書込電流値で前記磁気情報が書き込まれた前記磁気記録媒体を、正常使用不能と判断した場合に、前記第１の書込電流値よりも大きい第２の書込電流値で前記磁気記録媒体に前記磁気情報を再度書き込む再書込手段と、
を有し、
前記媒体評価手段は、前記再書込手段で再書き込みした前記磁気情報の書き込み結果が正常である場合に、前記磁気記録媒体を更新すべき旨の警告を発信する一方、前記再書込手段で再書き込みした前記磁気情報の書き込み結果が正常でない場合に、取引不能の警告を発信する警告発信手段を備えることを特徴とする磁気記録媒体処理装置。
【請求項２】
前記書込判定手段が、前記第１の書込電流値による前記磁気情報の書き込み結果が正常でないと判定した場合に、前記磁気記録媒体に対して前記第１の書込電流値による前記磁気情報の書き込みを繰り返し実行し、該書込みを所定回数繰り返す間に前記磁気情報の書き込み結果が正常であると判定しないとき、前記媒体評価手段は前記磁気記録媒体が正常使用不能であると判断することを特徴とする請求項１記載の磁気記録媒体処理装置。
【請求項３】
前記再書込手段は、前記書込判定手段が前記第２の書込電流値による前記磁気情報の書き込み結果が正常でないと判定した場合に、前記第１の書込電流値よりも大きい第３の書込電流値で前記磁気記録媒体に前記磁気情報の書き込みを実行し、
前記媒体評価手段は、前記書込判定手段が前記第３の書込電流値による前記磁気情報の書き込み結果が正常であると判定しないとき、前記磁気記録媒体が取引不能であると判断することを特徴とする請求項１又は２記載の磁気記録媒体処理装置。
【請求項４】
前記第３の書込電流値は、前記第２の書込電流値と同じ値又は高い値であることを特徴とする請求項３記載の磁気記録媒体処理装置。
【請求項５】
前記第１の書込電流値は低抗磁力用の磁気記録媒体に対応する電流値であり、前記第２の書込電流値は高抗磁力用の磁気記録媒体に対応する電流値であることを特徴とする請求項１から４のいずれか記載の磁気記録媒体処理装置。
【請求項６】
前記磁気記録媒体の抗磁力を判定し、該抗磁力に対応する書込電流値を前記第１の書込電流値とする抗磁力判定手段を備えることを特徴とする請求項１から５のいずれか記載の磁気記録媒体処理装置。
【請求項７】
磁気記録媒体に対して該磁気記録媒体の抗磁力に対応する第１の書込電流値で磁気情報を書き込む書込工程と、
前記磁気記録媒体に書き込まれた前記磁気情報の書き込み結果が正常であるか否かを判定する書込判定工程と、
前記書込判定工程の判定に基づき、前記磁気記録媒体が正常使用可能であるか否かを判断する媒体評価工程と、
前記媒体評価工程が、前記第１の書込電流値で前記磁気情報が書き込まれた前記磁気記録媒体を、正常使用不能と判断した場合に、前記第１の書込電流値よりも大きい第２の書込電流値で前記磁気記録媒体に前記磁気情報を再度書き込む再書込工程と、
を有し、
前記媒体評価工程は、前記再書込工程で再書き込みした前記磁気情報の書き込み結果が正常である場合に、前記磁気記録媒体を更新すべき旨の警告を発信する一方、前記再書込工程で再書き込みした前記磁気情報の書き込み結果が正常でない場合に、取引不能の警告を発信する警告発信工程を備えることを特徴とする磁気記録媒体処理方法。
【請求項８】
前記書込判定工程が、前記書込工程の書き込み結果が正常でないと判定した場合に、前記書込工程を繰り返し実行し、前記書込工程を所定回数繰り返す間に前記磁気情報の書き込み結果が正常であると判定しないとき、前記媒体評価工程は前記磁気記録媒体が正常使用不能であると判断することを特徴とする請求項７記載の磁気記録媒体処理方法。
【請求項９】
前記再書込工程は、前記書込判定工程が前記第２の書込電流値による前記磁気情報の書き込み結果が正常でないと判定した場合に、前記第１の書込電流値よりも大きい第３の書込電流値で前記磁気記録媒体に前記磁気情報の書き込みを実行し、
前記媒体評価工程は、前記書込判定工程が前記第３の書込電流値による前記磁気情報の書き込み結果が正常であると判定しないとき、前記磁気記録媒体が取引不能であると判断することを特徴とする請求項７又は８記載の磁気記録媒体処理方法。
【発明の詳細な説明】
【技術分野】
【０００１】
本発明は、磁気記録媒体の抗磁力に適した書込電流値で磁気情報を書き込む磁気記録媒体処理装置及び磁気記録媒体処理方法に関し、磁気情報の書込エラーによる取引の中断を回避する機能を有する磁気記録媒体処理装置及び磁気記録媒体処理方法に関する。
【背景技術】
【０００２】
磁気カード等の磁気記録媒体は、その磁気ストライプ等の磁気記録部の抗磁力の大きさについて異なるものが規格化されている。例えば、従来から規格化されていた低抗磁力カード（例えば、３００〜４００Ｏｅ）に加えて、高抗磁力カード（例えば、２７５０Ｏｅ）が新たに規格化されている。磁気カードに記録される磁気データ保護の観点からは高抗磁力カードの使用が有利であるが、低抗磁力カードも広く普及しており、高抗磁力カードと低抗磁力カードとが混在して使用されている。
【０００３】
磁気カードリーダでは、磁気カードの磁気情報を読み取るときには問題ないが、磁気情報を磁気ストライプに書き込むときには、磁気カードの抗磁力に適した書込電流値で書き込む必要がある。このため、高抗磁力の磁気カードに対して、低抗磁力カードに適した書込電流値で書き込みを行うと、書込電流が小さすぎるために磁気カードの磁気情報が書き変わらず、以前の磁気情報が残ったままになってしまう。また、低抗磁力の磁気カードに対して高抗磁力カードに適した書込電流値で書き込みを行うと、書込電流が大きすぎるために疑似ピークが発生する恐れがあり、書き込まれた磁気情報が異常となってしまう場合がある。
【０００４】
抗磁力の異なる磁気媒体を取り扱う装置において、磁気媒体の所定の領域に予め書き込まれた磁気媒体の磁気抗磁力に関する抗磁力情報を読み、読み取られた抗磁力情報を判定し、この判定結果に従って所定の電流値にて磁気媒体に磁気情報の書き込みを行って、磁気媒体の抗磁力に適した電流値で磁気情報の書き込みを行うようにした磁気媒体取扱装置は知られている（例えば、特許文献１参照）。
【０００５】
また、抗磁力の異なる磁気媒体を取り扱う装置において、カード挿入口より挿入された磁気媒体の磁気情報を再生して、磁気情報が記録されていない場合には高抗磁力用の記録電流値で書き込みを行い、次に、低抗磁力媒体の磁気情報のみ消去可能な電流値にて磁気情報を消去（ＤＣ消去）した後に、磁気媒体の磁気情報を再生し、一定出力値以上の残存出力ピーク数を数え、この残存出力ピーク数によって、その磁気媒体が高抗磁力媒体か低抗磁力媒体かの判定を行うようにした磁気媒体取扱装置も知られている（例えば、特許文献２参照）
【先行技術文献】
【特許文献】
【０００６】
【特許文献１】特開２００６−１１５８２号公報
【特許文献２】特開２０００−１５５８１６号公報
【発明の概要】
【発明が解決しようとする課題】
【０００７】
しかしながら、特許文献１及び特許文献２に記載の磁気媒体取扱装置では、磁気媒体の抗磁力に適した電流値で磁気情報の書き込みを行って書込エラーが発生したとき、同じ電流値にて再度書き込みを行うために、書込エラーを回避できない場合があった。例えば通帳やカードなどの書込エラーを回避できない場合には、磁気媒体取扱装置は、磁気記録媒体が正常使用不能であると判断して、媒体使用者へ磁気記録媒体を返却し、取引の扱いを中断していた。このため、媒体使用者は、行っていた取引を完了することができないのみならず、磁気記録媒体が正常使用不能であることを窓口に申し出て、通帳やカードなどの磁気記録媒体の再発行を行うまで取引ができないという問題があった。
【０００８】
また、各種規格の磁気カードが混在して使用される場合にも、従来のカードリーダでは、書込エラーが発生したとき、同じ電流値にて再度書き込みを行うために、取引の扱いを中断する問題があった。
【０００９】
本発明は、このような点に鑑みてなされたものであり、その目的は、磁気記録媒体への磁気情報の書込エラーによる取引の中断を回避することができる磁気記録媒体処理装置及び磁気記録媒体処理方法を提供することにある。
【課題を解決するための手段】
【００１０】
以上のような課題を解決するために、本発明は、以下のものを提供する。
【００１１】
（１）  磁気記録媒体に対して異なる電流値で磁気情報を書き込み可能な磁気記録媒体処理装置であって、前記磁気記録媒体に書き込まれた前記磁気情報の書き込み結果が正常であるか否かを判定する書込判定手段と、前記書込判定手段の判定に基づき、前記磁気記録媒体が正常使用可能であるか否かを判断する媒体評価手段と、前記媒体評価手段が、前記磁気記録媒体の抗磁力に対応する第１の書込電流値で前記磁気情報が書き込まれた前記磁気記録媒体を、正常使用不能と判断した場合に、前記第１の書込電流値よりも大きい第２の書込電流値で前記磁気記録媒体に前記磁気情報を再度書き込む再書込手段と、を有し、前記媒体評価手段は、前記再書込手段で再書き込みした前記磁気情報の書き込み結果が正常である場合に、前記磁気記録媒体を更新すべき旨の警告を発信する一方、前記再書込手段で再書き込みした前記磁気情報の書き込み結果が正常でない場合に、取引不能の警告を発信する警告発信手段を備えることを特徴とする磁気記録媒体処理装置。
【００１２】
本発明によれば、媒体評価手段が、磁気記録媒体の抗磁力に対応する第１の書込電流値で磁気情報が書き込まれた磁気記録媒体を正常使用不能と判断した場合に、再書込手段が、第１の書込電流値よりも大きい第２の書込電流値で磁気記録媒体に磁気情報を再度書き込むことから、適切な第１の書込電流値で磁気情報が書き込まれた磁気記録媒体が正常使用不能と判断された場合であっても、書き込まれる磁気情報の出力値のレベル（ベース）を増加させ、読み取り可能な出力値にすることにより、取引が中断されることを回避し、取引を最後まで完了させることができる。
【００１３】
すなわち、本発明に係る磁気記録媒体処理装置は、取引時に磁気情報の書込エラーがあった場合でも、少なくとも磁気情報の出力値不足による書込エラーを回避することができ、その取引を完了させて一時的な救済（取引中断の回避）を行うことができる。従って、媒体使用者は、必要な取引後にカードの再発行などの手続きを行うことができることから、利便性が向上する。
【００１４】
なお、適切な第１の書込電流値で書き込みを行ったにも関わらず、読み取り可能な出力値を得られない原因としては、磁気記録媒体の曲りや変形によって磁気記録媒体と磁気ヘッドとのスペースが広くなる場合（交換や再発行が必要なカードなど）、磁気記録媒体と磁気ヘッドとの接触位置や接触角度が正常な位置でない場合（バラツキ）等、書き込まれた磁気情報の出力値が不充分となることによる。
【００１５】
また、本発明に係る磁気記録媒体処理装置の前記媒体評価手段は、前記再書込手段で再書き込みした前記磁気情報の書き込み結果が正常である場合に、前記磁気記録媒体を更新すべき旨の警告を発信する一方、前記再書込手段で再書き込みした前記磁気情報の書き込み結果が正常でない場合に、取引不能の警告を発信する警告発信手段を備えることを特徴とする。
【００１６】
本発明によれば、再書込手段で再書き込みした磁気情報の書き込み結果が正常である場合に、取引を最後まで完了させることができる一方、警告発信手段が磁気記録媒体を更新すべき旨の警告を発信するから、媒体使用者に磁気記録媒体の更新が必要であることを知らせることができ、磁気記録媒体が取引不能になるのを事前に防止することができる。
【００１７】
また、本発明に係る磁気記録媒体処理装置は、再書込手段で再書き込みした磁気情報の書き込み結果が正常でない場合に、警告発信手段が取引不能の警告を発信するから、磁気記録媒体が取引不能になる事態を少なくすることができると共に、万一、磁気記録媒体が取引不能になった場合には、媒体使用者に磁気記録媒体が取引不能であることを知らせることができる。
【００１８】
（２）  前記書込判定手段が、前記第１の書込電流値による前記磁気情報の書き込み結果が正常でないと判定した場合に、前記磁気記録媒体に対して前記第１の書込電流値による前記磁気情報の書き込みを繰り返し実行し、該書込みを所定回数繰り返す間に前記磁気情報の書き込み結果が正常であると判定しないとき、前記媒体評価手段は前記磁気記録媒体が正常使用不能であると判断することを特徴とする磁気記録媒体処理装置。
【００１９】
本発明によれば、磁気記録媒体の抗磁力に対応する第１の書込電流値でリトライすることにより、単なる媒体の位置ずれ等による書込エラーを回避することができる。
【００２０】
（３）  前記再書込手段は、前記書込判定手段が前記第２の書込電流値による前記磁気情報の書き込み結果が正常でないと判定した場合に、前記第１の書込電流値よりも大きい第３の書込電流値で前記磁気記録媒体に前記磁気情報の書き込みを実行し、前記媒体評価手段は、前記書込判定手段が前記第３の書込電流値による前記磁気情報の書き込み結果が正常であると判定しないとき、前記磁気記録媒体が取引不能であると判断することを特徴とする磁気記録媒体処理装置。
【００２１】
本発明によれば、書込判定手段が第２の書込電流値による磁気情報の書き込み結果が正常でないと判定した場合でも、更に第３の書込電流値で磁気情報を書き込むから、第３の書込電流値による磁気情報の書き込み結果が正常であるときには、書込エラーとして取引が中断されることを回避でき、取引を最後まで完了させることができる。
【００２２】
（４）  前記第３の書込電流値は、前記第２の書込電流値と同じ値又は高い値であることを特徴とする磁気記録媒体処理装置。
【００２３】
本発明によれば、第３の書込電流値が、第２の書込電流値と同じ値又は高い値であることから、書き込まれる磁気情報の出力値のレベル（ベース）を増加させ、読み取り可能な出力値にすることができる。
【００２４】
（５）  前記第１の書込電流値は低抗磁力用の磁気記録媒体に対応する電流値であり、前記第２の書込電流値は高抗磁力用の磁気記録媒体に対応する電流値であることを特徴とする磁気記録媒体処理装置。
【００２５】
本発明によれば、低抗磁力用の磁気記録媒体に対して、低抗磁力用の磁気記録媒体に対応する電流値で磁気情報を書き込んだときに、磁気情報の出力値不足などにより磁気記録媒体が正常使用不能と判断された場合であっても、高抗磁力用の磁気記録媒体に対応する大きいパワーの電流値で再度書き込みを実行するから、書き込まれる磁気情報の出力値のレベル（ベース）を適切に増加させ、読み取り可能な出力値にすることが可能となる。
【００２６】
（６）  前記磁気記録媒体の抗磁力を判定し、該抗磁力に対応する書込電流値を前記第１の書込電流値とする抗磁力判定手段を備えることを特徴とする磁気記録媒体処理装置。
【００２７】
本発明によれば、磁気記録媒体の抗磁力を判定し、該抗磁力に対応する書込電流値を第１の書込電流値とするから、磁気記録媒体の抗磁力に最も適した第１の書込電流値を用いて磁気記録媒体に磁気情報を書き込むことができる。
【００２８】
（７）  磁気記録媒体に対して該磁気記録媒体の抗磁力に対応する第１の書込電流値で磁気情報を書き込む書込工程と、前記磁気記録媒体に書き込まれた前記磁気情報の書き込み結果が正常であるか否かを判定する書込判定工程と、前記書込判定工程の判定に基づき、前記磁気記録媒体が正常使用可能であるか否かを判断する媒体評価工程と、前記媒体評価工程が、前記第１の書込電流値で前記磁気情報が書き込まれた前記磁気記録媒体を、正常使用不能と判断した場合に、前記第１の書込電流値よりも大きい第２の書込電流値で前記磁気記録媒体に前記磁気情報を再度書き込む再書込工程と、を有し、前記媒体評価工程は、前記再書込工程で再書き込みした前記磁気情報の書き込み結果が正常である場合に、前記磁気記録媒体を更新すべき旨の警告を発信する一方、前記再書込工程で再書き込みした前記磁気情報の書き込み結果が正常でない場合に、取引不能の警告を発信する警告発信工程を備えることを特徴とする磁気記録媒体処理方法。
【００２９】
本発明によれば、媒体評価工程が、磁気記録媒体の抗磁力に対応する第１の書込電流値で磁気情報が書き込まれた磁気記録媒体を正常使用不能と判断した場合に、再書込工程が、第１の書込電流値よりも大きい第２の書込電流値で磁気記録媒体に磁気情報を再度書き込むことから、適切な第１の書込電流値で磁気情報が書き込まれた磁気記録媒体が正常使用不能と判断された場合であっても、書き込まれる磁気情報の出力値のレベル（ベース）を増加させ、読み取り可能な出力値にすることにより、取引が中断されることを回避し、取引を最後まで完了させることができる。
【００３０】
すなわち、本発明に係る磁気記録媒体処理方法は、取引時に磁気情報の書込エラーがあった場合でも、少なくとも磁気情報の出力値不足による書込エラーを回避することができ、その取引を完了させて一時的な救済（取引中断の回避）を行うことができる。従って、媒体使用者は、必要な取引後にカードの再発行などの手続きを行うことができることから、利便性が向上する。
【００３１】
また、本発明に係る磁気記録媒体処理方法の前記媒体評価工程は、前記再書込工程で再書き込みした前記磁気情報の書き込み結果が正常である場合に、前記磁気記録媒体を更新すべき旨の警告を発信する一方、前記再書込工程で再書き込みした前記磁気情報の書き込み結果が正常でない場合に、取引不能の警告を発信する警告発信工程を備えることを特徴とする。
【００３２】
本発明によれば、再書込工程で再書き込みした磁気情報の書き込み結果が正常である場合に、取引を最後まで完了させることができる一方、警告発信工程が磁気記録媒体を更新すべき旨の警告を発信するから、媒体使用者に磁気記録媒体の更新が必要であることを知らせることができ、磁気記録媒体が取引不能になるのを事前に防止することができる。
【００３３】
また、本発明に係る磁気記録媒体処理方法は、再書込工程で再書き込みした磁気情報の書き込み結果が正常でない場合に、警告発信工程が取引不能の警告を発信するから、磁気記録媒体が取引不能になる事態を少なくすることができると共に、万一、磁気記録媒体が取引不能になった場合には、媒体使用者に磁気記録媒体が取引不能であることを知らせることができる。
【００３４】
（８）  前記書込判定工程が、前記書込工程の書き込み結果が正常でないと判定した場合に、前記書込工程を繰り返し実行し、前記書込工程を所定回数繰り返す間に前記磁気情報の書き込み結果が正常であると判定しないとき、前記媒体評価工程は前記磁気記録媒体が正常使用不能であると判断することを特徴とする磁気記録媒体処理方法。
【００３５】
本発明によれば、磁気記録媒体の抗磁力に対応する第１の書込電流値でリトライすることにより、単なる媒体の位置ずれ等による書込エラーを回避することができる。
【００３６】
（９）  前記再書込工程は、前記書込判定工程が前記第２の書込電流値による前記磁気情報の書き込み結果が正常でないと判定した場合に、前記第１の書込電流値よりも大きい第３の書込電流値で前記磁気記録媒体に前記磁気情報の書き込みを実行し、前記媒体評価工程は、前記書込判定工程が前記第３の書込電流値による前記磁気情報の書き込み結果が正常であると判定しないとき、前記磁気記録媒体が取引不能であると判断することを特徴とする磁気記録媒体処理方法。
【００３７】
本発明によれば、書込判定工程が第２の書込電流値による磁気情報の書き込み結果が正常でないと判定した場合でも、更に第３の書込電流値で磁気情報を書き込むから、第３の書込電流値による磁気情報の書き込み結果が正常であるときには、書込エラーとして取引が中断されることを回避でき、取引を最後まで完了させることができる。
【発明の効果】
【００３８】
本発明に係る磁気記録媒体処理装置及び磁気記録媒体処理方法は、取引時に磁気情報の書込エラーがあった場合でも、書込電流値を大きくして磁気情報の再書き込みを行うことにより、その取引を完了させて、磁気情報の書込エラーによる取引の中断を回避することができる。
【図面の簡単な説明】
【００３９】
【図１】本発明に係る磁気記録媒体処理方法の第１実施形態を示すフローチャートである。
【図２】本発明に係る磁気記録媒体処理装置の概略構成図である。
【図３】本発明の実施の形態に係る磁気記録媒体処理方法の第２実施形態を示すフローチャートである。
【図４】本発明の実施の形態に係る磁気記録媒体処理方法の第３実施形態を示すフローチャートである。
【図５】各抗磁力カードの飽和特性を示す図である。
【発明を実施するための形態】
【００４０】
以下、本発明を実施するための最良の形態について、図面を参照しながら説明する。
【００４１】
本発明に係る磁気記録媒体処理装置は、磁気記録媒体に対して異なる電流値で磁気情報を書き込み可能な磁気記録媒体処理装置であって、前記磁気記録媒体に書き込まれた前記磁気情報の書き込み結果が正常であるか否かを判定する書込判定手段と、前記書込判定手段の判定に基づき、前記磁気記録媒体が正常使用可能であるか否かを判断する媒体評価手段と、前記媒体評価手段が、前記磁気記録媒体の抗磁力に対応する第１の書込電流値で前記磁気情報が書き込まれた前記磁気記録媒体を、正常使用不能と判断した場合に、前記第１の書込電流値よりも大きい第２の書込電流値で前記磁気記録媒体に前記磁気情報を再度書き込む再書込手段と、を有する。
【００４２】
磁気記録媒体が正常使用可能であるか否かを判断する媒体評価手段は、磁気記録媒体の抗磁力に適した第１の書込電流値で書き込みを行ったにも関わらず、磁気情報の読み取り可能な出力値で書き込まれていない場合に正常使用不能と判断する。
【００４３】
磁気記録媒体に適切な第１の書込電流値で書き込みを行ったにも関わらず、読み取り可能な出力値を得られない原因は、具体的には、
（１）磁気記録媒体の曲りや変形によって磁気記録媒体と磁気ヘッドとのスペースが広くなること（交換や再発行が必要なカードなどの場合）
（２）磁気記録媒体と磁気ヘッドとの接触位置や接触角度が正常な位置でない場合（バラツキ）
（３）異なる規格の磁気カードが使用された場合
などによって、書き込まれた磁気情報の出力値が不充分となることによる。
【００４４】
本磁気記録媒体処理装置は、第１の書込電流値より大きな第２の書込電流値で再度書き込みを実行することで、少なくとも磁気情報の出力値不足に対する改善を行い、書き込まれる磁気情報の出力値のレベル（ベース）を増加させ、読み取り可能な出力値にして、取引が中断されることを回避している。
【００４５】
本磁気記録媒体処理装置において、適切な書き込み電流は、磁気記録媒体の抗磁力に対応した電流値である。また、磁気記録媒体の抗磁力は、表１に示す規格に基づいて設定されている。
【００４６】
【表１】
0005681945.tif 000002
【００４７】
表１のＮｏ．ａ，ｂの国際規格にて規定された抗磁力に基づく低抗磁力用電流値又は高抗磁力用電流値での磁気情報の書き込みは、主にクレジットカード裏面ストライプや通帳ストライプに適用されている。また、２００８年頃に国際規格として規格化されたＮｏ．ｃは、中間抗磁力（６５０Ｏｅ）による磁気情報の書き込みで、ホテルキーカード向けに使用されている。
【００４８】
一方、国際規格のＮｏ．ａ，ｂに対応する日本国内の規格は、Ｎｏ．ｄ（ＪＩＳＸ６３０２−２），Ｎｏ．ｅ（ＪＩＳＸ６３０２−６）である。日本では、さらに、キャッシュカード表面ストライプに中間抗磁力（６５０Ｏｅ）を使用する規格としてＮｏ．ｆ（ＪＩＳＸ６３０１）がある。
【００４９】
本磁気記録媒体処理装置は、各種規格の磁気カードが混在して使用されるような状況において、適切な書き込み電流が選択された場合のみならず、適切な書き込み電流が選択されなかった場合でも、第１の書込電流値より大きな第２の書込電流値で再度書き込みを実行することにより、取引が中断されることを回避することができる。
【００５０】
［磁気記録媒体処理装置の構成］
図２は、本発明に係る磁気記録媒体処理装置の概略構成図である。本実施形態において、１０は、磁気カードリーダであり、ＣＰＵ１と、磁気再生／記録−ＩＣ２（以降、磁気Ｒ／Ｗ−ＩＣ２と記す）と、記録電流回路３と、磁気ヘッド４と、を有する。
【００５１】
磁気ヘッド４は、記録ヘッド５と再生ヘッド６とを備え、記録ヘッド５が磁気記録媒体２０の磁気ストライプ２１に磁気情報を記録し、再生ヘッド６が磁気ストライプ２１に記録された磁気情報を再生する。記録電流回路３は、磁気記録媒体２０の書き込みに適した第１の書込電流値、又は、この第１の書込電流値よりも大きい第２の書込電流値の書込電流を記録ヘッド５に供給して、磁気記録媒体２０に磁気情報を記録する。磁気Ｒ／Ｗ−ＩＣ２は、記録電流回路３の電流を制御している。
【００５２】
再生ヘッド６で再生された磁気記録媒体２０の磁気情報は、再生出力としてＣＰＵ１のアナログポートに入力される。ＣＰＵ１は、磁気Ｒ／Ｗ−ＩＣ２を介して磁気カードリーダ１０の動作を制御する制御手段１１と、磁気記録媒体２０に書き込まれた磁気情報の書き込み結果が正常であるか否かを判定する書込判定手段１２と、該書込判定手段１２の判定に基づき、磁気記録媒体２０が正常使用可能であるか否かを判断する媒体評価手段１３と、を備えている。
【００５３】
本実施形態の磁気カードリーダ１０は、例えば３００Ｏｅの低抗磁力カードと２７５０Ｏｅの高抗磁力カードに対応するものである。磁気ヘッド４は、例えば２７５０Ｏｅの高抗磁力カード用のもので、電流の大きさを変化させることで３００Ｏｅの低抗磁力カード用としても使用することができる。なお、記録電流回路３は、３以上の電流値の書込電流を記録ヘッド５に供給する構成にすることもでき、２以上の電流値の書込電流から磁気記録媒体２０の書き込みに適した第１の書込電流値を選択する構成にすることもできる。
【００５４】
図５は、各抗磁力のカードの飽和特性を示す。低抗磁力カード（３００Ｏｅ）の飽和電流は１２．５ｍＡ０−ｐ（ゼロ−ピーク）である。書込電流は磁気ヘッド４の書込能力のマージン等を考慮し、飽和電流値の１．５〜３倍程度にするのが一般的である。ＩＳＯの低抗磁力カードの規定では、飽和電流値の８０％の出力がとれる電流（７．５ｍＡ）の３．５〜５倍で書き込み、カードのテストを行うことになっている。
【００５５】
書込判定手段１２は、磁気記録媒体２０に書き込まれた磁気情報の書き込み結果が正常であるか否かを判定する。書込判定手段１２は、再生ヘッド６で再生された磁気記録媒体２０の磁気情報が、読み取り可能な所定の出力値以上であれば書き込み結果が正常であると判定し、所定の出力値以下であれば書き込み結果が異常であると判定する。なお、書込判定手段１２は、公知の手段を用いて書き込み結果を判定することができる。
【００５６】
媒体評価手段１３は、書込判定手段１２の判定に基づき、磁気記録媒体２０が正常使用可能であるか否かを判断する。媒体評価手段１３は、書き込み結果が正常であれば磁気記録媒体２０が正常使用可能であると判断し、書き込み結果が異常であれば磁気記録媒体２０が正常使用不能であると判断する。
【００５７】
なお、媒体評価手段１３は、書き込み結果が異常であるときに、第１の書込電流値でリトライする構成としてもよい。例えば、媒体評価手段１３は、書込判定手段１２が、第１の書込電流値による磁気情報の書き込み結果が正常でないと判定した場合に、磁気記録媒体２０に対して第１の書込電流値による磁気情報の書き込みを繰り返し実行させ、該書込みを所定回数繰り返す間に磁気情報の書き込み結果が正常であると判定しないときに限り、磁気記録媒体２０が正常使用不能であると判断する。
【００５８】
制御手段１１は、媒体評価手段１３が、磁気記録媒体２０の抗磁力に対応する第１の書込電流値で磁気情報が書き込まれた磁気記録媒体２０を、正常使用不能と判断した場合に、第１の書込電流値よりも大きい第２の書込電流値で磁気記録媒体２０に磁気情報を再度書き込む再書込手段を備えている。
【００５９】
磁気カードリーダ１０が、３以上の電流値の書込電流に対応しているときには、再書込手段は、書込判定手段１２が第２の書込電流値による磁気情報の書き込み結果が正常でないと判定した場合に、第２の書込電流値よりも大きい第３の書込電流値で磁気記録媒体２０に磁気情報の書き込みを実行する構成としてもよい。なお、第３の書込電流値は、第２の書込電流値より高い値であることが好ましい。また、第３の書込電流値は、第２の書込電流値と同じ値にしてリトライするようにしてもよい。
【００６０】
媒体評価手段１３は、再書込手段で磁気情報を再書き込みした場合に、警告を発信する警告発信手段を備えている。警告発信手段は、再書込手段で再書き込みした磁気情報の書き込み結果が正常である場合に、磁気記録媒体２０を更新すべき旨の警告を発信し、再書込手段で再書き込みした磁気情報の書き込み結果が正常でない場合に、取引不能の警告を発信する。
【００６１】
［磁気記録媒体処理方法の第１実施形態］
図１は、本発明に係る磁気記録媒体処理方法の第１実施形態を示すフローチャートである。磁気カードリーダ１０に磁気記録媒体２０が挿入されると、制御手段１１は、磁気記録媒体２０の抗磁力に対応する第１の書込電流値を設定して、磁気記録媒体２０に磁気情報の書き込みを実行する（Ｓ１０１、Ｓ１０２）。
【００６２】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に書き込まれた磁気情報の書き込み結果が正常である場合に、媒体評価手段１３は、磁気記録媒体２０を正常使用可能と判断して書き込みを終了する（Ｓ１０３）。
【００６３】
一方、磁気記録媒体２０に書き込まれた磁気情報の書き込み結果が異常である場合に、媒体評価手段１３は、磁気記録媒体２０に対して第１の書込電流値による磁気情報の書き込みを、リトライカウンターに設定した所定回数だけ繰り返し実行する（Ｓ１０４、Ｓ１０５）。具体的には、書き込み結果が異常である場合に、リトライカウンターを１ずつ減じて第１の書込電流値で書き込みを再実行する。リトライカウンターが０になる前に、磁気記録媒体２０に書き込まれた磁気情報の書き込み結果が正常であると判断された場合には、媒体評価手段１３は、磁気記録媒体２０を正常使用可能と判断して書き込みを終了する（Ｓ１０３）。
【００６４】
一方、磁気記録媒体２０に書き込まれた磁気情報の書き込み結果が正常であると判断されることなく、リトライカウンターが０になった場合には、媒体評価手段１３は、磁気記録媒体２０を正常使用不能と判断する（Ｓ１０５）。
【００６５】
媒体評価手段１３が、磁気記録媒体２０の抗磁力に対応する第１の書込電流値で磁気情報が書き込まれた磁気記録媒体２０を、正常使用不能と判断した場合に、再書込手段は、第１の書込電流値よりも大きい第２の書込電流値を設定して、磁気記録媒体２０に磁気情報の書き込みを再度実行する（Ｓ１０６、Ｓ１０７）。
【００６６】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に第２の書込電流値で書き込まれた磁気情報の書き込み結果が正常である場合に、媒体評価手段１３は、磁気記録媒体２０を更新すべき旨の警告を発信し、書き込みを終了する（Ｓ１０８）。この磁気カードリーダ１０は、書込エラーによる取引の中断を回避することができると共に、カード使用者に磁気記録媒体の更新が必要であることを知らせることができる。
【００６７】
一方、磁気記録媒体２０に第２の書込電流値で書き込まれた磁気情報の書き込み結果が異常である場合には、媒体評価手段１３は、磁気記録媒体２０の取引が不能であるとの警告を発信し、書き込みを終了する（Ｓ１０８）。
［磁気記録媒体処理方法の第２実施形態］
図３は、本発明の実施の形態に係る磁気記録媒体処理方法の第２実施形態を示すフローチャートである。磁気カードリーダ１０に磁気記録媒体２０が挿入されると、制御手段１１は、磁気記録媒体２０の抗磁力に対応する第１の書込電流値を設定して、磁気記録媒体２０に磁気情報の書き込みを実行する（Ｓ２０１、Ｓ２０２）。
【００６８】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に書き込まれた磁気情報の書き込み結果が正常である場合に、媒体評価手段１３は、磁気記録媒体２０を正常使用可能と判断して書き込みを終了する（Ｓ２０３）。
【００６９】
一方、磁気記録媒体２０に書き込まれた磁気情報の書き込み結果が異常である場合には、媒体評価手段１３は、磁気記録媒体２０を正常使用不能と判断する（Ｓ２０３）。
【００７０】
媒体評価手段１３が、磁気記録媒体２０の抗磁力に対応する第１の書込電流値で磁気情報が書き込まれた磁気記録媒体２０を、正常使用不能と判断した場合に、再書込手段は、第１の書込電流値よりも大きい第２の書込電流値を設定して、磁気記録媒体２０に磁気情報の書き込みを再度実行する（Ｓ２０４、Ｓ２０５）。
【００７１】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に第２の書込電流値で書き込まれた磁気情報の書き込み結果が正常である場合に、媒体評価手段１３は、磁気記録媒体２０を更新すべき旨の警告を発信し、書き込みを終了する（Ｓ２０６）。
【００７２】
一方、磁気記録媒体２０に第２の書込電流値で書き込まれた磁気情報の書き込み結果が異常である場合には、媒体評価手段１３は、磁気記録媒体２０を正常使用不能と判断し（Ｓ２０６）、再書込手段は、第２の書込電流値よりも大きい第３の書込電流値を設定して、磁気記録媒体２０に磁気情報の書き込みを再度実行する（Ｓ２０７、Ｓ２０８）。
【００７３】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に第３の書込電流値で書き込まれた磁気情報の書き込み結果が正常である場合に、媒体評価手段１３は、磁気記録媒体２０を更新すべき旨の警告を発信し、書き込みを終了する（Ｓ２０９）。この磁気カードリーダ１０は、第２の書込電流値で書込エラーになった場合でも、取引の中断を回避することが可能である。
【００７４】
一方、磁気記録媒体２０に第３の書込電流値で書き込まれた磁気情報の書き込み結果が異常である場合には、媒体評価手段１３は、磁気記録媒体２０の取引が不能であるとの警告を発信し、書き込みを終了する（Ｓ２０９）。
【００７５】
［磁気記録媒体処理方法の第３実施形態］
図４は、本発明の実施の形態に係る磁気記録媒体処理方法の第３実施形態を示すフローチャートである。磁気カードリーダ１０は、例えば３００Ｏｅの低抗磁力カードと２７５０Ｏｅの高抗磁力カードに対応するものであり、磁気記録媒体２０の抗磁力を判定する抗磁力判定手段を備えている。磁気カードリーダ１０に磁気記録媒体２０が挿入されると、制御手段１１は、磁気記録媒体２０の抗磁力の判定を行う（Ｓ３０１）。
【００７６】
制御手段１１は、磁気記録媒体２０を低抗磁力カードであると判定すると（Ｓ３０２）、第１の書込電流値として低抗磁力用電流値を設定して、磁気記録媒体２０に磁気情報の書き込みを実行する（Ｓ３０３、Ｓ３０４）。
【００７７】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に書き込まれた磁気情報の書き込み結果が正常である場合に、媒体評価手段１３は、磁気記録媒体２０を正常使用可能と判断して書き込みを終了する（Ｓ３０５）。
【００７８】
一方、磁気記録媒体２０に書き込まれた磁気情報の書き込み結果が異常である場合には、媒体評価手段１３は、磁気記録媒体２０を正常使用不能と判断する（Ｓ３０５）。
【００７９】
媒体評価手段１３が、第１の書込電流値である低抗磁力用電流値で磁気情報が書き込まれた磁気記録媒体２０を、正常使用不能と判断した場合に、再書込手段は、第１の書込電流値よりも大きい第２の書込電流値として高抗磁力用電流値を設定して、磁気記録媒体２０に磁気情報の書き込みを再度実行する（Ｓ３０６、Ｓ３０７）。
【００８０】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に高抗磁力用電流値で書き込まれた磁気情報の書き込み結果が正常である場合に、媒体評価手段１３は、磁気記録媒体２０を更新すべき旨の警告を発信し、書き込みを終了する（Ｓ３０８）。この磁気カードリーダ１０は、低抗磁力用電流値で書込エラーとなった場合でも、書込力の強い高抗磁力用電流値で再度書き込むことにより、書込エラーによる取引の中断を回避することができる。
【００８１】
一方、磁気記録媒体２０に高抗磁力用電流値で書き込まれた磁気情報の書き込み結果が異常である場合には、媒体評価手段１３は、磁気記録媒体２０の取引が不能であるとの警告を発信し、書き込みを終了する（Ｓ３０８）。
【００８２】
また、ステップＳ３０２において、磁気記録媒体２０を高抗磁力カードであると判定すると、制御手段１１は、第１の書込電流値として高抗磁力用電流値を設定して、磁気記録媒体２０に磁気情報の書き込みを実行する（Ｓ３０９、Ｓ３１０）。
【００８３】
書込判定手段１２は、磁気記録媒体２０に書き込まれた磁気情報を再生ヘッド６で再生し、磁気記録媒体２０に書き込まれた磁気情報の書き込み結果が正常であるか否かを判定する。磁気記録媒体２０に書き込まれた磁気情報の書き込み結果が正常である場合に、媒体評価手段１３は、磁気記録媒体２０を正常使用可能と判断して書き込みを終了する（Ｓ３１１）。
【００８４】
一方、磁気記録媒体２０に書き込まれた磁気情報の書き込み結果が異常である場合には、媒体評価手段１３は、磁気記録媒体２０を正常使用不能と判断する（Ｓ３１１）。本実施例の場合、磁気カードリーダ１０は高抗磁力用電流値より大きい書込電流値を設定できないから、書き込みを終了する。
【００８５】
なお、磁気カードリーダ１０が高抗磁力用電流値より大きい書込電流値を設定できる場合には、第２の書込電流値を設定して再度書き込みを実行してもよい。また、磁気カードリーダ１０が中間抗磁力にも対応している場合には、低抗磁力電流値に対する第２の書込電流値として中間抗磁力電流値を設定してもよい。
【００８６】
［本実施の形態の主な効果］
本発明は、取引時に磁気情報の書込エラーがあった場合でも、書込電流値を大きくして磁気情報の再書き込みを行うことにより、その取引を完了させて、磁気情報の書込エラーによる取引の中断を回避することができる。従って、媒体使用者は、必要な取引後にカードの再発行などの手続きを行うことができることから、利便性が向上する。
【符号の説明】
【００８７】
１  ＣＰＵ
２  磁気Ｒ／Ｗ−ＩＣ
３  記録電流回路
４  磁気ヘッド
５  記録ヘッド
６  再生ヘッド
１０  磁気カードリーダ
１１  制御手段
１２  書込判定手段
１３  媒体評価手段
１４  警告発信手段
２０  磁気記録媒体
２１  磁気ストライプ
【図１】
0005681945.tif 000003
【図２】
0005681945.tif 000004
【図３】
0005681945.tif 000005
【図４】
0005681945.tif 000006
【図５】
0005681945.tif 000007